(57)【要約】【課題】  被防振体の横方向における全方向での横振動を吸収することができ、しかも、防振性能に優れた防振脚を提供する。【解決手段】  上面に開口部２４を有する箱体２３内において支持板２６を転動子２５，２７によって上下から挟持する。支持板２６上に固定した支持軸２８を開口部２４を通じて箱体２３外部に延出させ、その先端に固定した支持板３０上に縦振動吸収体３３を設置する。支持軸２８と箱体２３との間に、両部材の振動を吸収する横振動吸収体２９を設ける。箱体２３をテーブル１２上に載置した状態で、支持板３０（縦振動吸収体３３）上にプリンタ１０を設置する。【選択図】      図１
2006090451.tif 000002
【特許請求の範囲】
【請求項１】
設置部上に設置される被防振体の脚として機能する防振脚であって、
下端に支持板を有し、前記被防振体の下面を弾性部材を介して支持する支持部材と、その支持板を水平移動可能に上下から挟持する挟持部材を有し、前記設置部上に設置される箱状の設置部材とを備え、前記支持部材及び設置部材の少なくとも一方には、両部材間の横方向の振動を吸収する横振動吸収部材を設けたことを特徴とする防振脚。
【請求項２】
前記横振動吸収部材は、合成樹脂の発泡体からなることを特徴とする請求項１に記載の防振脚。
【請求項３】
前記横振動吸収部材は、前記支持部材が挿通する前記設置部材の上側開口部を塞ぐように同設置部材と前記支持部材との間に介在されていることを特徴とする請求項２に記載の防振脚。
【請求項４】
前記設置部材の下側、及び、前記支持部材の上側のいずれか一方には、前記設置部に対する前記被防振体の高さを調節するための高さ調整機構が設けられていることを特徴とする請求項１〜請求項３のいずれか一項に記載の防振脚。
【請求項５】
請求項１〜請求項４のいずれか一項に記載の防振脚を備え、同防振脚を介して設置部上に設置されることを特徴とする被防振体。
【発明の詳細な説明】
【技術分野】
【０００１】
この発明は、例えばプリンタ、複写機等の被防振体と、この被防振体が設置されるテーブル、ラック、フロア等の設置部との間に配置され、主として被防振体が発生する横振動を吸収するための防振脚、及び同防振脚を備えた被防振体に関するものである。
【背景技術】
【０００２】
この種の防振装置としては、例えば特許文献１に開示されるものがある。この防振装置では、例えばプリンタの筐体に固定される金具の下側に、テーブル上面に当接してプリンタ全体を支持する硬度の高いゴムが設けられ、金具の上側に、プリンタ内部においてモータ等の機構部が取り付けられているボードを筐体に対して支持する硬度の低いゴムが設けられている。この両ゴムは一体的に加硫成形されている。そして、プリンタ作動時に発生するプリンタの横振動は、両ゴムの弾性伸縮によって吸収され、テーブルの横振動が抑制される。
【０００３】
また、特許文献２に開示された防振装置では、テーブル等に設置される下台板の上側に戸車を介して上台板が配置され、この上台板の上にプリンタが載置される。そして、プリンタ作動時に発生するプリンタの横振動は、下台板と上台板との間に設けられた弾性部材によって吸収される。
【特許文献１】特開平５−１３１７１８号公報
【特許文献２】特開平５−８５０１６号公報
【発明の開示】
【発明が解決しようとする課題】
【０００４】
ところで、上記特許文献１に記載のものでは、一方のゴムがプリンタの筐体を支持し、他方のゴムがプリンタ内部のボードを支持しているので、各ゴムの硬度はいずれもある程度高い必要がある。このため、キャリッジの方向転換に伴って大きな横振動が発生するようにプリンタに用いた場合、その横振動を効果的に吸収できない可能性がある。
【０００５】
一方、上記特許文献２のものでは、下台板に対する上台板の相対移動方向が戸車により一方向のみに規制されるので、プリンタに発生する複数方向の横振動を吸収することができない。また、戸車を使用するため全体が大きくなるのを避けることができない。
【０００６】
この発明は、以上のような従来の問題点を解消して、被防振体の横方向における全方向での横振動を吸収することができ、しかも、防振性能に優れた防振脚を提供することにある。また、同防振脚を備えた被防振体を提供することにある。
【課題を解決するための手段】
【０００７】
上記目的を達成するために、請求項１に記載の発明に係る防振脚は、設置部上に設置される被防振体の脚として機能する防振脚であって、下端に支持板を有し、前記被防振体の下面を弾性部材を介して支持する支持部材と、その支持板を水平移動可能に上下から挟持する挟持部材を有し、前記設置部上に設置される箱状の設置部材とを備え、前記支持部材及び設置部材の少なくとも一方には、両部材間の横方向の振動を吸収する横振動吸収部材を設けたことを特徴とする。
【０００８】
請求項２に記載の発明は、請求項１に記載の発明において、前記横振動吸収部材は、合成樹脂の発泡体からなることを特徴とする。
請求項３に記載の発明は、請求項２に記載の発明において、前記横振動吸収部材は、前記支持部材が挿通する前記設置部材の上側開口部を塞ぐように同設置部材と前記支持部材との間に介在されていることを特徴とする。
【０００９】
請求項４に記載の発明は、請求項１〜請求項３のいずれか一項に記載の発明において、前記設置部材の下側、及び、前記支持部材の上側のいずれか一方には、前記設置部に対する前記被防振体の高さを調節するための高さ調整機構が設けられていることを特徴とする。
【００１０】
請求項５に記載の発明に係る被防振体は、請求項１〜請求項４のいずれか一項に記載の防振脚を備え、同防振脚を介して設置部上に設置されることを特徴とする。
【発明の効果】
【００１１】
この本発明によれば、被防振体に横振動が発生すると、箱状の設置部材内において支持板が同横振動方向へ相対移動する。このため、被防振体に発生した横振動が、その方向に関係なく横振動吸収体によって吸収される。しかも、横振動吸収体が被防振体を支持していないので、その硬度を高くする必要がなく、防振性能を向上することができる。
【発明を実施するための最良の形態】
【００１２】
（第１実施形態）
次に、本発明を具体化した第１実施形態を図１及び図２に従って説明する。
図２（ａ），（ｂ）に示すように、被防振体としてのプリンタ１０は、その四隅においてこの実施形態の防振脚２０を介して、建物内のフロア１１上に載置されたテーブル１２の上に設置されている。従って、前記フロア１１やテーブル１２は、被防振体を設置するための設置部を構成する。前記防振脚２０は、プリンタ１０の四隅にそれぞれ脚として取り付けられている。プリンタ１０は、図示しないキャリッジの方向転換やシートフィーダの動作に伴い、左右方向やこれに直交する前後方向にそれぞれ横振動するとともに、その横振動に伴って縦振動する。各防振脚２０は、プリンタ１０のこれら複数の横方向での横振動及び縦振動を吸収する。
【００１３】
次に、前記防振脚２０の詳細について以下に説明する。
図１（ａ），（ｂ）に示すように、この防振脚２０においては、箱体（設置部材）２３の底板下面に、充実体のゴムよりなる平板状の縦振動吸収体２２が接着によって固定され、この縦振動吸収体２２の下面には、充実体の熱可塑性エラストマーよりなる薄板状の滑り止め部２１が接着によって固定されている。この縦振動吸収体２２は、主に縦振動を吸収するためのものである。前記箱体２３は上面視略正方形に形成され、その天板中央に円形の開口部（上側開口部）２４を有している。箱体２３の底板上面の４箇所には、転動子（ボールキャスタ）２５が支持されている。この４つの転動子２５上には、略正方形の支持板２６が支持されている。また、箱体２３の天板下面には、前記転動子２５よりも外側４箇所に転動子２７が固定され、各転動子２７は、支持板２６の上面に対し転動可能な状態で当接されている。従って、支持板２６は、箱体２３内において、各転動子（挟持部材）２５，２７により箱体２３に対し横方向における全方向に相対移動可能な状態で上下から挟持されている。
【００１４】
支持板２６の上面中央には、箱体２３の開口部２４を挿通して上方に延出する支持軸（支持部材）２８が固定されている。また、支持板２６の上面中央には、前記支持軸２８を包囲するとともに前記開口部２４内に位置する円形の横振動吸収体（横振動吸収部材）が接着によって固定されている。この横振動吸収体２９は、高分子材料であるウレタン等の合成樹脂からなる発泡体であって、横振動を吸収するためのものである。この横振動吸収体２９の外径と開口部２４の内径とはほぼ同一であって、横振動吸収体２９の外周面に対して開口部２４の内周縁が当接している。従って、横振動吸収体２９は、箱体２３に対する支持板２６及び支持軸２８の相対移動を許容し、箱体２３の開口部２４は、この横振動吸収体２９によって塞がれ、箱体２３の内側空間が箱体２３外部から閉鎖されている。
【００１５】
前記支持軸２８の上端部には雄ねじ部２８ａが形成され、この雄ねじ部２８ａには、円形の支持板３０の下面中央に設けられた雌ねじ部３１が螺合されている。雄ねじ部２８ａには、支持軸２８に対する支持板３０の回動を規制するロックナット３２が螺合されている。すなわち、支持板３０に加わる荷重は、雌ねじ部３１と雄ねじ部２８ａとの螺合部及びロックナット３２と雄ねじ部２８ａとの螺合部によって分担して受けられる。そして、支持軸２８（雄ねじ部２８ａ）、雌ねじ部３１及びロックナット３２により、支持軸２８の上側に設けられた高さ調整機構が構成されている。
【００１６】
支持板３０の上面には、充実体のゴムよりなる縦振動吸収体（弾性部材）３３が接着によって固定されている。この縦振動吸収体３３は、縦振動吸収体２２とともに主に縦振動を吸収する。さらに、縦振動吸収体３３の上面には、発泡合成樹脂からなる平板状の受け部３４が接着によって固定されている。この受け部３４は、プリンタ１０下面のゴム脚１０ａを包み込んだ状態でプリンタ１０の下面に当接し、受け部３４に対するプリンタ１０の横滑りを防止する。そして、ロックナット３２を緩めた状態で支持軸２８に対して縦振動吸収体３３を回動させ、雄ねじ部２８ａの雌ねじ部３１に対する螺合量を調節することにより、防振脚２０の高さが調節される。
【００１７】
さて、上記のように構成された防振脚２０は、プリンタ１０の下面の四隅に脚として設置され、それぞれ箱体２３（滑り止め部２１）がテーブル１２上に載置されるとともにプリンタ１０が支持板３０（受け部３４）の上に載置された状態で使用される。このとき、箱体２３下側の滑り止め部２１がテーブル１２上面に当接し、防振脚２０のテーブル１２に対する横滑りが防止される。プリンタ１０の使用時においてキャリッジが動作したりシートフィーダが動作したりすると、プリンタ１０は左右方向やこれに直交する前後方向にそれぞれ横振動する。プリンタ１０の横振動に伴って、支持板２６が同横振動方向に移動する。このため、キャリッジやシートフィーダの動作に伴うプリンタ１０の各横方向での横振動は横振動吸収体２９の弾性伸縮によってそれぞれ吸収及び減衰され、この横振動に伴うテーブル１２の横振動が抑制される。このとき、プリンタ１０は、そのゴム脚１０ａを包み込んだ受け部３４を介して支持軸２８に支持されているので、その横振動により防振脚２０に対して横方向にずれることがなく、プリンタ１０が防振脚２０から落ちることがない。
【００１８】
また、プリンタ１０には、キャリッジやシートフィーダの動作に伴って、上下方向の縦振動も発生する。この縦振動は、充実体のゴムよりなる縦振動吸収体２２，３３の縦方向での弾性伸縮により吸収され、テーブル１２の上下振動が抑制される。
【００１９】
さらに、地震が発生した場合の横振動は、横振動吸収体２９の弾性伸縮により吸収され、プリンタ１０の横振動が抑制される。また、地震の縦振動は、縦振動吸収体２２，３３の弾性伸縮により吸収され、プリンタ１０の縦振動が抑制される。
【００２０】
本実施形態は、次の各効果を有する。
（１）  この実施形態によれば、作動中のプリンタ１０において互いに異なる横方向で横振動が発生すると、箱体２３内において支持板２６が各横振動方向へ相対移動し、横振動吸収体２９が各横振動を吸収する。しかも、横振動吸収体２９はプリンタ１０の重量を支持していないので、その硬度をより低くすることができ、防振性能を向上することができる。
【００２１】
（２）  支持板２６を、箱体２３の上下に設けた転動子２５，２７により上下から挟持したので、地震による縦振動が防振脚２０に加わっても、支持板２６が箱体２３内で上下に暴れない。このため、地震の縦振動が縦振動吸収体２２，３３により確実に吸収され、プリンタ１０の縦振動がより確実に抑制される。
【００２２】
（３）  箱体２３の下側に縦振動吸収体２２を設け、支持軸２８の上側に縦振動吸収体３３を設けたので、プリンタ１０の縦振動を吸収し、テーブル１２の上下振動を抑制することができる。また、地震の縦振動を吸収し、プリンタ１０の上下振動を抑制することができる。
【００２３】
（４）  箱体２３と支持軸２８との間に、高分子材料であるウレタン等の合成樹脂の発泡体からなる横振動吸収体２９を介在させたので、横振動を吸収するのみならず減衰させることができる。また、複数の圧縮コイルばねや引張コイルばねを介在させる構成に較べて、部品点数及び組立工数が少なくてすむ。さらに、圧縮コイルばねや引張コイルばねを用いた場合には、横振動を減衰させるためにダンパが必要となるが、本実施形態では、その必要がない。
【００２４】
（５）  合成樹脂の発泡体からなる横振動吸収体２９を、箱体２３の開口部２４を塞ぐように支持軸２８と箱体２３との間に介在させた。このため、箱体２３内の空間が外部から閉鎖され、外部から塵埃等が侵入しないので、支持板２６や転動子２５，２７の動作に塵埃等による支障が起きにくくなり、防振脚２０の信頼性が向上する。しかも、横振動吸収体２９によって開口部２４を塞ぐようにしたので、開口部２４を塞ぐためだけの専用の部品が不要となり、部品点数及び組立工数の増加を招くことがない。
【００２５】
（６）  支持軸２８の上側に高さ調整機構を設けたので、プリンタ１０の四隅に脚として設けた防振脚２０によりプリンタ１０を水平状態に確実に支持することができる。このため、作動中のプリンタ１０が各防振脚２０の上で不安定とならないので、プリンタ１０の振動を各防振脚２０により確実に吸収することができる。
【００２６】
（７）  前述した従来のものとは異なり、戸車を使用していないため、全体を小型化できる。
（第２実施形態）
次に、本発明を具体化した第２実施形態を図３に従って説明する。なお、この第２実施形態以降の各実施形態においては、第１実施形態と異なる構成及び作用を主に説明する。
【００２７】
図３（ａ），（ｂ）に示すように、この防振脚２０においては、円形薄板状の支持板４０の下面に、充実体のゴムよりなる円形平板状の縦振動吸収体４１が接着によって固定されている。支持板４０の上面中央には、雄ねじ軸４２が立設状態で固定され、この雄ねじ軸４２の上端には、上面視円形の箱体２３の底板下面中央に設けられた雌ねじ部４３が螺合されている。雄ねじ軸４２には、この雄ねじ軸４２に対する箱体２３の回動を規制するロックナット４４が螺合されている。従って、ロックナット４４を緩めた状態で縦振動吸収体４１に対して箱体２３を回動させ、雄ねじ軸４２の雌ねじ孔に対する螺合量を調節することにより、防振脚２０の高さが調節され、プリンタ１０の底面の高さを調節できる。そして、雄ねじ軸４２、雌ねじ部４３及びロックナット４４により、箱体２３の下側に設けられた高さ調整機構が構成されている。
【００２８】
箱体２３の底板上面の転動子２５は、１８０度隔てて一対設けられている。また、箱体２３の天板下面の転動子２７は、前記一対の転動子２５とそれぞれ９０度隔てて一対設けられている。支持板２６は、円形をなしている。また、箱体２３の周壁内面には、円環状の横振動吸収体（横振動吸収部材）４５が配設されている。この横振動吸収体４５は、横振動吸収体２９と同様の、高分子材料であるウレタン等の合成樹脂からなる発泡体である。この横振動吸収体４５の内径と、支持板２６の外径とはほぼ同一であって、横振動吸収体４５の内周面に対して支持板２６の外周縁が当接している。支持板２６と支持板３０との間の支持軸（支持部材）４６は、それら支持板２６及び支持板３０に直接固定されている。前記横振動吸収体２９は、支持板２６と支持板３０との間において、支持軸４６を包囲するとともに開口部２４内に位置するように固定されている。従って、箱体２３の開口部２４は、箱体２３に対する支持板２６及び支持軸４６の相対移動を許容する横振動吸収体２９によって塞がれ、箱体２３の内側空間が外部から閉鎖されている。
【００２９】
さて、本実施形態において、キャリッジ及びシートフィーダの動作に伴うプリンタ１０の各横方向での横振動は、いずれも両横振動吸収体２９，４５によって吸収及び減衰される。また、プリンタ１０の縦振動は両縦振動吸収体３３，４１により吸収される。さらに、地震の横振動は両横振動吸収体２９，４５によって吸収され、地震の縦振動は両縦振動吸収体３３，４１により吸収される。従って、この実施形態も、前記第１実施形態と同じ作用効果を有する。
【００３０】
（変形例）
なお、この発明は、前記実施形態に限定されるものではなく、以下のような様態で具体化してもよい。
【００３１】
・  上記防振脚２０を、被防振体としてのプリンタ１０の脚として予めプリンタ１０に一体的に組み込んでもよい。この場合、縦振動吸収体３３及び受け部３４をなくすとともに、支持板３０をプリンタ１０の筐体に固定する。
【００３２】
・  前記横振動吸収体２９，４５において、その内周部または外周部に粘弾性体を設ける。この場合には、横振動に対する減衰作用が向上する。
・  第１実施形態において箱体２３下面の縦振動吸収体２２を設けない構成とする。また、第２実施形態において支持板４０下面の縦振動吸収体４１を設けない構成とする。
【００３３】
・  この発明を、被防振体としてのベッド等の家具と、この家具が設置される設置部としてのフロアとの間に介在される防振脚に具体化してもよい。
【図面の簡単な説明】
【００３４】
【図１】（ａ）は第１実施形態の防振脚を示す平面図、（ｂ）は同じく縦断面図。
【図２】（ａ）は防振脚の設置状態を示すプリンタの正面図、（ｂ）は同じく平面図。
【図３】（ａ）は第２実施形態の防振脚を示す平面図、（ｂ）は同じく縦断面図。
【符号の説明】
【００３５】
１０…被防振体としてのプリンタ、１１…設置部を構成するフロア、１２…同じくテーブル、２０…防振脚、２２…縦振動吸収体、２３…設置部材としての箱体、２４…（上側）開口部、２５，２７…挟持部材を構成する転動子、２６…支持板、２８…高さ調整機構を構成する支持部材支持軸、２８ａ…同じく雄ねじ部、２９…横振動吸収部材としての横振動吸収体、３１…高さ調整機構を構成する雌ねじ部、３２…同じくロックナット、３３…弾性部材としての縦振動吸収体、４１…縦振動吸収体、４２…高さ調整機構を構成する雄ねじ軸、４３…同じく雌ねじ部、４４…同じくロックナット、４５…横振動吸収部材としての横振動吸収体、４６…支持部材としての支持軸。
【図１】
2006090451.tif 000003
【図２】
2006090451.tif 000004
【図３】
2006090451.tif 000005